(57)【要約】      （修正有）【課題】マウント部の絶縁部の削れを抑制できるレンズユニット及びカメラボディを提供する。【解決手段】レンズ４２２、４２４、４２６、４２８と、カメラボディ４６０に設けられたボディマウント２１０に対して、前記レンズの光軸の周りに回動されることにより装着及び離脱されるレンズマウント１１０と、前記レンズマウントに設けられ、前記レンズマウントが前記ボディマウントに装着された状態で、前記ボディマウントに設けられたボディ側接点部と接触するレンズ側接点部１２０と、前記レンズ側接点部を、前記ボディ側接点部及び前記ボディマウントにおける前記レンズ側接点部が接触する部位の移動に伴って従動回転されるように前記レンズマウントに軸支する支持部と、を備えるレンズユニット４１０。【選択図】図１
2011002794.tif 000002
【特許請求の範囲】
【請求項１】
レンズと、
カメラボディに設けられたボディマウントに対して、前記レンズの光軸の周りに回動されることにより装着及び離脱されるレンズマウントと、
前記レンズマウントに設けられ、前記レンズマウントが前記ボディマウントに装着された状態で、前記ボディマウントに設けられたボディ側接点部と接触するレンズ側接点部と、
前記レンズ側接点部を、前記ボディ側接点部及び前記ボディマウントにおける前記レンズ側接点部が接触する部位の移動に伴って従動回転されるように前記レンズマウントに軸支する支持部と、
を備えるレンズユニット。
【請求項２】
前記支持部は、前記レンズ側接点部を、前記ボディ側接点部に対して遠近変位するように支持すると共に、前記ボディ側接点部に圧接させる請求項１に記載のレンズユニット。
【請求項３】
前記支持部は、
前記レンズ側接点部の一部が挿入される穴が形成され、前記レンズ側接点部の回転軸方向に分離され前記レンズ側接点部の回転軸を支持する一対の軸支部を有する軸受部と、
前記軸受部を前記ボディ側接点部側へ付勢する付勢部材と、
を備える請求項１又は請求項２に記載のレンズユニット。
【請求項４】
前記レンズマウントは、前記レンズ側接点部と前記支持部とを収容する収容部を備え、
前記レンズ側接点部は、前記ボディ側接点部に接触する周面を有するローラであり、
前記収容部に、前記レンズ側接点部の周面に接触するように配され、当該周面を清掃する清掃部材と、
を備える請求項１から請求項３までの何れか１項に記載のレンズユニット。
【請求項５】
前記レンズ側接点部は、前記ボディ側接点部と前記レンズの光軸方向と直交する方向に対向しており、
前記支持部は、前記レンズ側接点部を、前記レンズの光軸と平行な軸線の周りに回転自在に軸支している請求項１から請求項４までの何れか１項に記載のレンズユニット。
【請求項６】
前記レンズ側接点部は、前記ボディ側接点部と前記レンズの光軸方向に対向しており、
前記支持部は、前記レンズ側接点部を、前記レンズの半径方向と平行な軸線の周りに回転自在に軸支している請求項１から請求項４までの何れか１項に記載のレンズユニット。
【請求項７】
レンズを具備するレンズユニットに設けられたレンズマウントが、前記レンズの光軸の周りに回動されることにより装着及び離脱されるボディマウントと、
前記ボディマウントに設けられ、前記レンズマウントが前記ボディマウントに装着された状態で、前記レンズマウントに設けられたレンズ側接点部と接触するボディ側接点部と、
前記ボディ側接点部を、前記レンズ側接点部及び前記レンズマウントにおける前記ボディ側接点部が接触する部位の移動に伴って従動回転できるように前記ボディマウントに軸支する支持部と、
を備えるカメラボディ。
【請求項８】
前記支持部は、前記ボディ側接点部を、前記レンズ側接点部に対して遠近変位するように支持すると共に、前記レンズ側接点部に圧接させる請求項７に記載のカメラボディ。
【請求項９】
前記支持部は、
前記ボディ側接点部の一部が挿入される穴が形成され、前記ボディ側接点部の回転軸方向に分離され、前記ボディ側接点部の回転軸を支持する一対の軸支部を有する軸受部と、
前記軸受部を前記レンズ側接点部側へ付勢する付勢部材と、
を備える請求項７又は請求項８に記載のカメラボディ。
【請求項１０】
前記ボディマウントは、前記ボディ側接点部と前記支持部とを収容する収容部を備え、
前記ボディ側接点部は、前記レンズ側接点部に接触する周面を有するローラであり、
前記収容部に、前記ボディ側接点部の周面に接触するように配され、当該周面を清掃する清掃部材と、
を備える請求項７から請求項９までの何れか１項に記載のカメラボディ。
【請求項１１】
前記ボディ側接点部は、前記レンズ側接点部と前記レンズの光軸方向と直交する方向に対向しており、
前記支持部は、前記ボディ側接点部を、前記レンズの光軸と平行な軸線の周りに回転自在に軸支している請求項７から請求項１０までの何れか１項に記載のカメラボディ。
【請求項１２】
前記ボディ側接点部は、前記レンズ側接点部と前記レンズの光軸方向に対向しており、
前記支持部は、前記ボディ側接点部を、前記レンズの半径方向と平行な軸線の周りに回転自在に軸支している請求項７から請求項１０までの何れか１項に記載のカメラボディ。
【発明の詳細な説明】
【技術分野】
【０００１】
本発明は、レンズユニット及びカメラボディに関する。
【背景技術】
【０００２】
カメラボディマウントに対して光軸周りに回動されて着脱されるレンズ鏡筒として、カメラボディマウントの接点に接続されるレンズマウントの接点を導電性板バネとしたものが知られている（例えば、特許文献１参照）。
【先行技術文献】
【特許文献】
【０００３】
【特許文献１】特開昭５８−６３９２９号公報
【発明の概要】
【発明が解決しようとする課題】
【０００４】
上記レンズ鏡筒では、レンズマウントがカメラボディマウントに対して光軸周りに回動されて着脱されるに際して、一方の接点と、他方の接点を囲む絶縁部とが摺擦することにより、当該絶縁部が削れる場合がある。そこで、当該事情に鑑み、マウント部の絶縁部の削れを抑制できるレンズユニット及びカメラボディを提供することを課題とする。
【課題を解決するための手段】
【０００５】
上記課題を解決するために、本発明の第１の態様においては、レンズ（４２２、４２４、４２６、４２８）と、カメラボディ（４６０）に設けられたボディマウント（２１０）に対して、前記レンズの光軸の周りに回動されることにより装着及び離脱されるレンズマウント（１１０）と、前記レンズマウントに設けられ、前記レンズマウントが前記ボディマウントに装着された状態で、前記ボディマウントに設けられたボディ側接点部（２２０）と接触するレンズ側接点部（１２０）と、前記レンズ側接点部を、前記ボディ側接点部及び前記ボディマウントにおける前記レンズ側接点部と接触する部位の移動に伴って従動回転されるように前記レンズマウントに軸支する支持部（１２４、１２６、１２８）と、を備えるレンズユニット（４１０）を提供する。
【０００６】
また、本発明の第２の態様においては、レンズ（４２２、４２４、４２６、４２８）を具備するレンズユニット（４１０）に設けられたレンズマウント（１１０）が、前記レンズの光軸の周りに回動されることにより装着及び離脱されるボディマウント（２１０）と、前記ボディマウントに設けられ、前記レンズマウントが前記ボディマウントに装着された状態で、前記レンズマウントに設けられたレンズ側接点部（１２０）と接触するボディ側接点部（２２０）と、前記ボディ側接点部を、前記レンズ側接点部及び前記レンズマウントとの接触部の移動に伴って従動回転できるように前記ボディマウントに軸支する支持部（２４４、２４６、２４８）と、を備えるカメラボディ（４６０）を提供する。
【０００７】
なお、上記の発明の概要は、本発明の必要な特徴の全てを列挙したものではない。また、これらの特徴群のサブコンビネーションもまた、発明となりうる。
【図面の簡単な説明】
【０００８】
【図１】レンズ交換式のデジタルカメラ１００の概略構成を示す中央縦断面図である。
【図２】複数のレンズ側端子部１２０と複数のボディ側端子部２２０とを被写体側から示す拡大正面図である。
【図３】複数のレンズ側端子部１２０と複数のボディ側端子部２２０とを被写体側から示す拡大正面図である。
【図４】図２の４−４断面図である。
【図５】図３の５−５断面図である。
【図６】図４の６−６断面図である。
【図７】図４の７−７断面図である。
【図８】他の実施形態に係る複数のレンズ側端子部１４０と複数のボディ側端子部２４０とを被写体側から示す拡大正面図である。
【図９】他の実施形態に係る複数のレンズ側端子部１４０と複数のボディ側端子部２４０とを被写体側から示す拡大正面図である。
【図１０】他の実施形態に係るボディ側端子部２５０を半径方向から示す拡大断面図である。
【図１１】他の実施形態に係る複数のレンズ側端子部１５０と複数のボディ側端子部２５０とを半径方向から示す拡大断面図である。
【図１２】他の実施形態に係る複数のボディ側端子部２６０を半径方向から示す拡大断面図である。
【図１３】他の実施形態に係る複数のレンズ側端子部１６０と複数のボディ側端子部２６０とを半径方向から示す拡大断面図である。
【図１４】他の実施形態に係るホルダ１３０を光軸方向から示す拡大断面図である。
【図１５】他の実施形態に係る複数のレンズ側端子部１２０と複数のボディ側端子部２２０とを半径方向から示す拡大断面図である。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１は、レンズ交換式のデジタルカメラ１００の概略構成を示す中央縦断面図である。この図に示すように、デジタルカメラ１００は、レンズ光学系４２０、レンズ鏡筒４３０、レンズマウント１１０を有するレンズユニット４１０と、ボディマウント２１０を有するカメラボディ４６０とを備えている。レンズユニット４１０は、レンズマウント１１０及びボディマウント２１０を介して、カメラボディ４６０に対して着脱自在に装着される。
【００１１】
レンズ光学系４２０は、図中で左側にあたる入射端から順次配列された、フロントレンズ４２２、コンペンセータレンズ４２４、フォーカシングレンズ４２６およびメインレンズ４２８を備える。
【００１２】
カメラボディ４６０は、ミラーユニット５２０、ペンタプリズム４７０、接眼系４９０を含む光学系を収容する。ミラーユニット５２０は、レンズユニット４１０のレンズ光学系４２０を通過した入射光を反射及び透過するハーフミラーであるメインミラー５２２を備える。メインミラー５２２は、入射光の光路上に傾斜して配置されるダウン位置と、入射光を避けて上昇するアップ位置との間を移動する。
【００１３】
ダウン位置に位置するメインミラー５２２は、入射光の大半を、上方に配置されたペンタプリズム４７０に導く。ペンタプリズム４７０は、入射光の鏡映を接眼系４９０に向かって出射するので、フォーカシングスクリーンの映像を接眼系４９０から正像として見ることができる。
【００１４】
また、ミラーユニット５２０は、メインミラー５２２における入射面に対する裏面側にサブミラー５２４を有する。サブミラー５２４は、入射光の光路上に傾斜して配置されるダウン位置と、入射光を避けて上昇するアップ位置との間を移動する。
【００１５】
ダウン位置に位置するサブミラー５２４は、メインミラー５２２を透過した入射光を、下方に配置された測距ユニットに導く。即ち、メインミラー５２２及びサブミラー５２４がダウン位置に位置する場合は、測距ユニットが被写体までの距離を測定する。なお、メインミラー５２２がアップ位置に移動した場合は、サブミラー５２４もアップ位置に移動する。
【００１６】
更に、入射光に対してメインミラー５２２の後方には、フォーカルプレーンシャッタ５４０、ローパスフィルタ５１０および撮像素子５００が順次配置される。フォーカルプレーンシャッタ５４０が開放される場合、その直前にメインミラー５２２及びサブミラー５２４がアップ位置に移動するので、入射光は直進して撮像素子５００に入射される。これにより、入射光の形成する画像が電気信号に変換される。これにより、撮像素子５００は、レンズユニット４１０によって結像された画像を撮像する。
【００１７】
また、レンズユニット４１０には、レンズ側電気回路１０２が設けられ、レンズマウント１１０には、レンズ側電気回路１０２に電気的に接続された複数のレンズ側端子部１２０が設けられている。一方、カメラボディ４６０には、ボディ側電気回路２０２が設けられ、ボディマウント２１０には、ボディ側電気回路２０２に接続された複数のボディ側端子部２２０が設けられている。レンズユニット４１０をカメラボディ４６０に装着した状態で、複数のレンズ側端子部１２０と複数のボディ側端子部２２０とが互いに接触することにより、レンズ側電気回路１０２とボディ側電気回路２０２とが電気的に接続される。
【００１８】
図２及び図３は、複数のレンズ側端子部１２０と複数のボディ側端子部２２０とを被写体側から示す拡大正面図である。これらの図に示すように、複数のボディ側端子部２２０は、ボディマウント２１０に取り付けられたホルダ２３０に取り付けられている。
【００１９】
ホルダ２３０は、光軸を曲率中心として円弧状に湾曲した絶縁性部材であり、ホルダ２３０の内周側の壁面２３２は、レンズ光学系４２０の光軸（以下、光軸という）を曲率中心として円弧状に湾曲している。複数のボディ側端子部２２０は、光軸を中心とする周方向（以下、周方向という）に沿って所定間隔おきに配列されており、各ボディ側端子部２２０の一部である面状のボディ側接点部２２２が、壁面２３２から露出している。なお、該ボディ側接点部２２２は、壁面２３２と面一となるように配置され、ホルダ２３０に固定されている。
【００２０】
また、複数のレンズ側端子部１２０は、レンズマウント１１０に取り付けられたホルダ１３０に取り付けられている。ホルダ１３０は、光軸を曲率中心として円弧状に湾曲した絶縁性部材であり、ホルダ１３０の外周側の壁面１３２は、光軸を中心として円弧状に湾曲している。また、該壁面１３２は、レンズユニット４１０がカメラボディ４６０に装着された状態で、ホルダ２３０の壁面２３２に対して、光軸を中心とする半径方向（以下、半径方向という）に対向している。
【００２１】
複数のレンズ側端子部１２０は、周方向に沿って所定間隔おきに配列されており、各レンズ側端子部１２０の一部であるレンズ側接点部１２２が、壁面１３２から光軸を中心とする外径方向（以下、外径方向という）へ突出している。ここで、複数のレンズ側接点部１２２と複数のボディ側接点部２２２とは等間隔で配列されており、レンズユニット４１０がカメラボディ４６０に装着された状態で、各レンズ側接点部１２２と各ボディ側接点部２２２とが半径方向に対向して互いに接触する。
【００２２】
また、各レンズ側端子部１２０は、上述のレンズ側接点部１２２と、レンズ側接点部１２２と一体で形成された一対の軸部１２４と、軸受部１２６と、付勢部材１２８とを備えている。ホルダ１３０には、複数の空洞部１３４が、周方向に沿って所定間隔おきに配列されている。各空洞部１３４は、ホルダ１３０を半径方向に貫通している。また、ホルダ１３０の内周側の壁面には、フレキシブルプリント配線板１３６が取り付けられており、ホルダ１３０の内周側においては、複数の空洞部１３４が、フレキシブルプリント配線板１３６により塞がれている。
【００２３】
各空洞部１３４には、レンズ側接点部１２２、一対の軸部１２４、軸受部１２６及び付勢部材１２８が収容されている。レンズ側接点部１２２、軸受部１２６、付勢部材１２８は、外径側から内径側へ記載順に配置されており、レンズ側接点部１２２の一部が、空洞部１３４から外径方向へ突出している。
【００２４】
レンズ側接点部１２２は、光軸方向から見た断面形状が円状の回転体である。一対の軸部１２４は、光軸と平行な同一直線上に配置されており、一方は、レンズ側接点部１２２の回転中心からボディ側へ延び、他方は、被写体側へ延びている。なお、空洞部１３４の開口縁部は、レンズ側接点部１２２の周面に沿って湾曲しており、空洞部１３４の開口量を減少させている。
【００２５】
軸受部１２６は、レンズ側接点部１２２と付勢部材１２８との間に配置された台座部１２５と、台座部１２５と一体で形成された一対の軸支部１２７とを備えている。台座部１２５は、中心に円状の貫通孔１２９が形成された円板である。台座部１２５の外周部と空洞部１３４の壁面との間には、微小な隙間が設けられている。また、レンズ側接点部１２２の一部は、貫通孔１２９に挿入されている。
【００２６】
一対の軸支部１２７は、台座部１２５から外径方向へ突出した矩形板状部材であり、光軸方向に並べて配置されている。レンズ側接点部１２２は、一対の軸支部１２７の間に配置されており、一対の軸部１２４は、軸支部１２７に当接している。軸支部１２７における軸部１２４が載置される面は、軸部１２４の回動軌跡の接線と平行である。
【００２７】
付勢部材１２８は、圧縮コイルバネであり、付勢部材１２８の軸方向一端部は、台座部１２５に当接し、付勢部材１２８の軸方向他端部は、フレキシブルプリント配線板１３６の端子部に当接している。ここで、付勢部材１２８は、半径方向に弾性的に収縮した状態で台座部１２５とフレキシブルプリント配線板１３６との間に配置されており、台座部１２５を外径方向へ付勢している。
【００２８】
ここで、レンズ側接点部１２２、軸部１２４、軸受部１２６は、真鍮で形成され、表面に金メッキが施されており、導電性を有している。また、付勢部材１２８は、りん青銅で形成されており、導電性を有している。また、ボディ側端子部２２０は、真鍮で形成され、表面に金メッキが施されており、導電性を有している。このため、ボディ側端子部２２０は、レンズ側接点部１２２、軸部１２４、軸受部１２６及び付勢部材１２８を通じてフレキシブルプリント配線板１３６の端子部に導通している。
【００２９】
また、空洞部１３４の孔壁には、一対のガイド溝１３８が形成されている。一対のガイド溝１３８は、半径方向に延びる長尺の溝であり、光軸方向に対向して配置されている。各ガイド溝１３８には、各軸部１２４が摺動自在に挿入されている。これにより、レンズ側接点部１２２は、軸部１２４とガイド溝１３８とにより半径方向に沿って移動するように案内されると共に、外径方向への移動量を制限される。
【００３０】
ここで、レンズ側接点部１２２が、ホルダ２３０に対して周方向にオフセットしている状態では、付勢部材１２８の付勢力により軸部１２４がガイド溝１３８の外径側端部に圧接される。この状態では、レンズ側接点部１２２の回転中心が、空洞部１３４内に位置し、レンズ側接点部１２２の一部が空洞部１３４から外径側へ突出する。
【００３１】
また、ホルダ２３０の周方向一端部には、周方向一端側へかけて外径側へ傾斜したテーパ面２３４が形成されている。ここで、レンズユニット４１０は、光軸周りに図中反時計回り方向へ回動されることによりカメラボディ４６０に装着されるが、テーパ面２３４は、ホルダ２３０の図中反時計回り方向上流端部に配置されている。このため、レンズユニット４１０をカメラボディ４６０に装着するに際して、レンズ側接点部１２２が、テーパ面２３４に当接すると、テーパ面２３４からレンズ側接点部１２２に対して内径方向への力が作用する。これにより、レンズ側接点部１２２は、付勢部材１２８の付勢力に抗して内径側へ変位する。
【００３２】
図４は、図２の４−４断面図である。この図に示すように、レンズ側接点部１２２は、周方向から見た断面形状が、半径方向両側が円弧状、光軸方向両側が直線状の所謂太鼓形状の回転体である。即ち、レンズ側接点部１２２の周面は、幅方向両側から中央側へかけて外周側へ膨出するように円弧状に湾曲している。
【００３３】
図５は、図３の５−５断面図である。この図に示すように、レンズ側接点部１２２の周面の幅方向中央部が、付勢部材１２８の付勢力によりボディ側接点部２２２に圧接される。
【００３４】
図６は、図４の６−６断面図である。この図に示すように、光軸方向に沿って配置された一対の軸部１２４が、光軸方向に対向して配置された一対のガイド溝１３８に摺動自在に嵌合している。これにより、レンズ側接点部１２２の回転軸が、光軸に対して平行な状態に維持される。
【００３５】
図７は、図４の７−７断面図である。この図に示すように、軸受部１２６の台座部１２５と空洞部１３４とは、ともに半径方向から見て円状に形成されており、台座部１２５の周縁と空洞部１３４の内周面との間には微小な隙間が形成されている。このため、台座部１２５は、空洞部１３４内で半径方向へ光軸方向に対する傾きを抑えられた状態で移動自在である。従って、軸受部１２６に支持された一対の軸部１２４の光軸に対する傾きが抑制される。
【００３６】
次に、本実施形態における作用について説明する。図２に示すように、レンズユニット４１０をカメラボディ４６０に装着するに際して、まず、レンズ側端子部１２０は、ボディ側端子部２２０に対して周方向にオフセットした位置に配置される。そして、レンズユニット４１０が、カメラボディ４６０に対して相対的に光軸周りに図中反時計回り方向へ回動され、レンズ側端子部１２０が、ボディ側端子部２２０と半径方向に対向する位置まで回動された状態で、レンズユニット４１０とカメラボディ４６０とが結合される。
【００３７】
レンズ側接点部１２２は、レンズユニット４１０が、光軸周りに図中反時計回り方向へ回動されるに際して、ホルダ２３０のテーパ面２３４に当接する。これにより、レンズ側接点部１２２は、テーパ面２３４から内径方向への荷重を受け、付勢部材１２８の付勢力に抗して内径方向へ変位する。
【００３８】
ところで、レンズ側接点部１２２は、レンズマウント１１０がボディマウント２１０に対して相対的に光軸周りに回動されるに際して、ホルダ２３０の壁面２３２及びボディ側端子部２２０のボディ側接点部２２２に当接する。そして、レンズ側接点部１２２は、壁面２３２及びボディ側接点部２２２からレンズマウント１１０の回動方向の逆方向への荷重を受ける。
【００３９】
ここで、レンズ側接点部１２２は、一対の軸部１２４の周りに回動可能となっている。この一対の軸部１２４は、回動するレンズマウント１１０の軌道の接線方向、及びレンズマウント１１０とボディマウント２１０とが対向する方向（即ち半径方向）の双方に対して直交する方向（即ち光軸方向）に沿って配されている。このため、レンズ側接点部１２２は、壁面２３２及びボディ側接点部２２２から受けた荷重により、一対の軸部１２４の周りに回動する。即ち、レンズ側接点部１２２は、光軸周りに回動する壁面２３２及びボディ側接点部２２２に従動して回転する。
【００４０】
これによって、レンズユニット４１０をカメラボディ４６０に対して相対的に回動させるに際して、レンズ側接点部１２２と壁面２３２及びボディ側接点部２２２との間に生じる摺擦力を低減でき、以って、レンズ側接点部１２２による壁面２３２すなわち絶縁部の削れを抑制できる。従って、絶縁部の削れかすがレンズ側接点部１２２とボディ側接点部２２２との間に入り込むことに起因する、レンズ側端子部１２０とボディ側端子部２２０との導通不良を抑制でき、以って、レンズユニット４１０とカメラボディ４６０との通信不具合の発生を抑制できる。また、レンズ側接点部のレンズ側接点部１２２、とボディ側端子部２２０のボディ側接点部２２２との磨耗劣化を抑制できる。
【００４１】
また、レンズ側接点部１２２を、軸心周りに回転するコロローラとしたことにより、レンズ側接点部１２２を、球の中心の周りに回転するボールとする場合と比較して、レンズ側接点部１２２の回転負荷を抑制できる。従って、レンズ側接点部１２２を当該ボールとする場合と比較して、レンズ側接点部１２２が壁面２３２及びボディ側接点部２２２に対して従動回転し易くなるので、レンズ側接点部１２２と壁面２３２及びボディ側接点部２２２との間に生じる摺擦力をより一層低減できる。
【００４２】
また、軸受部１２６の台座部１２５は、空洞部１３４内で半径方向へ光軸方向に対する傾きを抑えられた状態で移動自在であることから、軸受部１２６に支持された一対の軸部１２４の光軸に対する傾きを抑制できる。また、軸支部１２７が光軸を中心とする周の接線方向と平行な平坦面とすることにより軸支部１２７とガイド溝１３８とによる軸部１２４の多重拘束を回避している。
【００４３】
従って、レンズ側接点部１２２の回転負荷を抑制できるので、レンズ側接点部１２２と壁面２３２及びボディ側接点部２２２との間に生じる摺擦力をより一層抑制できる。また、レンズ側接点部１２２と空洞部１３４の開口縁部との干渉を抑制できるので、レンズ側接点部１２２の磨耗劣化を抑制できる。
【００４４】
また、台座部１２５の中心に貫通孔１２９を形成してレンズ側接点部１２２の台座部１２５側の一部を、貫通孔１２９に挿入したことにより、台座部１２５をよりレンズ側接点部１２２に近づけて配置することができる。これにより、空洞部１３４の半径方向の寸法を縮小でき、ホルダ１３０の半径方向の寸法をより小さくできる。さらに、台座部１２５が、軸支部１２７から付勢部材１２８の軸心側へ張出していることにより、この張出した部位に当接する付勢部材の外径を縮小できる。
【００４５】
また、レンズ側接点部１２２の軸部１２４と台座部１２５との間の部位を軸支部１２７により包囲した場合には、軸受部１２６が、周方向へ大型化する。しかし、本実施形態では、レンズ側接点部１２２を間においてレンズ側接点部１２２の回転軸方向に対向する、互いに分離された一対の軸支部１２７を設けたことにより、軸受部１２６の周方向への大型化を抑制できる。従って、空洞部１３４の周方向への拡大を抑制でき、ホルダ１３０の周方向への拡大を抑制できる。
【００４６】
なお、本実施形態では、レンズ側接点部１２２を所謂太鼓形状の回転体としたが、レンズ側接点部１２２は、円柱形状の回転体、球形状の回転体等、光軸と平行な回転軸周りに回転する回転体であればよい。また、本実施形態では、レンズ側接点部１２２の円弧状の周面の幅方向中央部をボディ側接点部２２２に当接させたが、レンズ側接点部１２２の周面に外径方向へ隆起した突起部を設け、該突起部をボディ側接点部２２２に当接させてもよい。
【００４７】
図８及び図９は、他の実施形態に係る複数のレンズ側端子部１４０と複数のボディ側端子部２４０とを被写体側から示す拡大正面図である。これらの図に示すように、複数のレンズ側端子部１４０は、レンズマウント１１０に取り付けられたホルダ１３１に取り付けられている。
【００４８】
ホルダ１３１は、光軸を曲率中心として円弧状に湾曲した絶縁性部材であり、ホルダ１３１の外周側の壁面１３３は、光軸を曲率中心として円弧状に湾曲している。複数のレンズ側端子部１４０は、光軸を中心とする周方向（以下、周方向という）に沿って所定間隔おきに配列されており、各レンズ側端子部１４０の一部である面状のレンズ側接点部１４２が、壁面１３３から露出している。なお、該レンズ側接点部１４２は、壁面１３３と面一となるように配置され、ホルダ１３１に固定されている。
【００４９】
また、複数のボディ側端子部２４０は、ボディマウント２１０に取り付けられたホルダ２３１に取り付けられている。ホルダ２３１は、光軸を曲率中心として円弧状に湾曲した絶縁部材であり、ホルダ２３１の内周側の壁面２３３は、光軸を中心として円弧状に湾曲している。また、該壁面２３３は、レンズユニット４１０がカメラボディ４６０に装着された状態で、ホルダ１３１の壁面１３３と半径方向に対向している。
【００５０】
複数のボディ側端子部２４０は、周方向に沿って所定間隔おきに配列されており、各ボディ側端子部２４０の一部であるボディ側接点部２４２が、壁面２３３から内径方向へ突出している。ここで、複数のボディ側接点部２４２と複数のレンズ側接点部１４２とは等間隔で配列されており、レンズユニット４１０がカメラボディ４６０に装着された状態で、各ボディ側接点部２４２と各レンズ側接点部１４２とが半径方向に対向して互いに接触する。
【００５１】
また、各ボディ側端子部２４０は、上述のボディ側接点部２４２と、ボディ側接点部２４２と一体で形成された一対の軸部２４４と、軸受部２４６と、付勢部材２４８とを備えている。ホルダ２３１には、複数の空洞部２３５が、周方向に沿って所定間隔おきに配列されている。各空洞部２３５は、ホルダ２３１を半径方向に貫通している。また、ホルダ２３１の外周側の壁面には、フレキシブルプリント配線板２３６が取り付けられており、ホルダ２３１の外周側においては、複数の空洞部２３５が、フレキシブルプリント配線板２３６により塞がれている。
【００５２】
各空洞部２３５には、ボディ側接点部２４２、一対の軸部２４４、軸受部２４６及び付勢部材２４８が収容されている。ボディ側接点部２４２、軸受部２４６、付勢部材２４８は、内径側から外径側へ記載順に配置されており、ボディ側接点部２４２の一部が、空洞部２３５から内径方向へ突出している。
【００５３】
なお、ボディ側接点部２４２、軸部２４４、軸受部２４６、付勢部材２４８、空洞部２３５、ガイド溝２３８の構成は、上述のレンズ側接点部１２２、軸部１２４、軸受部１２６、付勢部材１２８、空洞部１３４、及びガイド溝１３８と比べて位置関係が逆であるが、それ以外の構成は同様である。軸受部２４６は上記軸受部１２６と同様に、台座部２４５および一対の軸支部２４７を有する。
【００５４】
本実施形態では、図８に示すように、レンズユニット４１０をカメラボディ４６０に装着するに際して、ボディ側接点部２４２は、レンズユニット４１０が、光軸周りに図中反時計回り方向へ回動されるに際して、ホルダ１３１の壁面１３３及びレンズ側端子部１４０のレンズ側接点部１４２に当接する。そして、ボディ側接点部２４２は、壁面１３３及びレンズ側接点部１４２からレンズマウント１１０の回動方向への荷重を受ける。
【００５５】
ここで、ボディ側接点部２４２は、一対の軸部２４４の周りに回動可能となっている。この一対の軸部２４４は、レンズマウント１１０の回動軌道の接線方向、及びレンズマウント１１０とボディマウント２１０とが対向する方向（即ち半径方向）の双方に対して直交する方向（即ち光軸方向）に沿って配されている。このため、ボディ側接点部２４２は、壁面１３３及びレンズ側接点部１４２から受けた荷重により、一対の軸部２４４の周りに回動する。即ち、ボディ側接点部２４２は、光軸周りに回動する壁面１３３及びレンズ側接点部１４２に従動して回転する。
【００５６】
これによって、レンズユニット４１０をカメラボディ４６０に対して相対的に回動させるに際して、ボディ側接点部２４２と壁面１３３及びレンズ側接点部１４２との間に生じる摺擦力を低減でき、以って、ボディ側接点部２４２による壁面１３３すなわち絶縁部の削れを抑制できる。従って、絶縁部の削れかすがボディ側接点部２４２とレンズ側接点部１４２との間に入り込むことに起因する、レンズ側端子部１４０とボディ側端子部２４０との導通不良を抑制でき、以って、レンズユニット４１０とカメラボディ４６０との通信不具合の発生を抑制できる。また、レンズ側端子部１４０のレンズ側接点部１４２、とボディ側端子部２４０のボディ側接点部２４２との磨耗劣化を抑制できる。
【００５７】
図１０及び図１１は、他の実施形態に係る複数のレンズ側端子部１５０と複数のボディ側端子部２５０とを半径方向から示す拡大断面図である。これらの図に示すように、本実施形態では、レンズ側端子部１５０は、レンズ側接点部１２２及び一対の軸部１２４と、軸受部１５６とを備えている。軸受部１５６は、空洞部１３４に対して嵌合している。ここで、一対の軸部１２４は、軸受部１５６の外径側端部と空洞部１３４の内径側端部との間に回転自在且つ、半径方向へ変位不能に挟み込まれている。
【００５８】
一方、ボディ側端子部２５０は、導電性を有する板バネであり、ボディ側接点部２５２は、半径方向へ弾性変形できる。このため、本実施形態では、レンズユニット４１０をカメラボディ４６０に装着するに際して、レンズ側接点部１２２が、ボディ側接点部２５２を外径方向へ弾性変形させる。一方で、レンズ側接点部１２２は、ボディ側接点部２５２からレンズマウント１１０の回動方向の逆方向への荷重を受け、光軸周りに回動する接触部に従動して回転する。
【００５９】
従って、本実施形態においても、レンズユニット４１０をカメラボディ４６０に対して相対的に回動させるに際して、レンズ側接点部１２２と壁面２３２及びボディ側接点部２５２との間に生じる摺擦力を低減でき、以って、レンズ側接点部１２２による壁面２３２すなわち絶縁部の削れを抑制できる。また、レンズ側端子部１５０のレンズ側接点部１２２とボディ側端子部２５０のボディ側接点部２５２との磨耗劣化を抑制できる。
【００６０】
図１２及び図１３は、他の実施形態に係る複数のレンズ側端子部１６０と複数のボディ側端子部２６０とを半径方向から示す拡大断面図である。これらの図に示すように、本実施形態では、ボディ側端子部２６０は、ボディ側接点部２４２及び一対の軸部２４４と、軸受部２６６とを備えている。軸受部２６６は、空洞部２３５に対して嵌合している。ここで、一対の軸部１２４は、軸受部２６６の内径側端部と空洞部２３５の外径側端部との間に回転自在且つ、半径方向へ変位不能に挟み込まれている。
【００６１】
一方、レンズ側端子部１６０は、導電性を有する板バネであり、レンズ側接点部１６２は、半径方向へ弾性変形できる。このため、本実施形態では、レンズユニット４１０をカメラボディ４６０に装着するに際して、ボディ側接点部２４２が、レンズ側接点部１６２を内径方向へ弾性変形させる。一方で、ボディ側接点部２４２は、レンズ側接点部１６２からレンズマウント１１０の回動方向の逆方向への荷重を受け、光軸周りに回動する接触部に従動して回転する。
【００６２】
従って、本実施形態においても、レンズユニット４１０をカメラボディ４６０に対して相対的に回動させるに際して、ボディ側接点部２４２と壁面１３３及びレンズ側接点部１６２との間に生じる摺擦力を低減でき、以って、ボディ側接点部２４２による壁面１３３すなわち絶縁部の削れを抑制できる。また、レンズ側端子部１６０のレンズ側接点部１６２とボディ側端子部２６０のボディ側接点部２４２との磨耗劣化を抑制できる。
【００６３】
図１４は、他の実施形態に係るホルダ１３０を光軸方向から示す拡大断面図である。この図に示すように、本実施形態に係るホルダ１３０の空洞部１３４における開口縁部には、一対のクリーニング部材１７０が配置されている。一対のクリーニング部材１７０は、植毛布、ウレタン等の柔軟な材料で形成されており、レンズ側接点部１２２の周面に当接している。
【００６４】
このため、レンズ側接点部１２２の周面に付着した異物が、一対のクリーニング部材１７０により除去される。従って、異物がレンズ側接点部１２２とボディ側接点部２２２との間に入り込むことに起因する、レンズ側端子部１２０とボディ側端子部２２０との導通不良を抑制でき、以って、レンズユニット４１０とカメラボディ４６０との通信不具合の発生を抑制できる。
【００６５】
図１５は、他の実施形態に係る複数のレンズ側端子部１２０と複数のボディ側端子部２２０とを半径方向から示す拡大断面図である。これらの図に示すように、本実施形態では、複数のレンズ側端子部１２０と複数のボディ側端子部２２０とが、光軸方向に対向して配されている。
【００６６】
レンズ側端子部１２０のレンズ側接点部１２２とボディ側端子部２２０のボディ側接点部２２２とは光軸方向に対向している。また、ガイド溝１３８は、光軸方向に延在しており、軸部１２４を光軸方向に案内する。また、レンズ側接点部１２２、軸受部１２６の台座部１２５、付勢部材１２８は、カメラボディ側から被写体側へ記載順に配置されている。このため、レンズ側接点部１２２は、付勢部材１２８により光軸方向のカメラボディ４６０側へ付勢され、ボディ側接点部２２２に圧接されている。
【００６７】
ここで、一対の軸部１２４は、回動するボディ側接点部２２２の軌道の接線方向及びレンズ側接点部１２２とボディ側接点部２２２とが対向する方向（すなわち光軸方向）と直交して配置されている。このため、レンズユニット４１０をカメラボディ４６０に対して相対的に光軸周りに回動させるに際して、レンズ側接点部１２２は、軸部１２４周りに回動する。
【００６８】
従って、レンズユニット４１０をカメラボディ４６０に対して相対的に回動させるに際して、レンズ側接点部１２２と壁面２３２及びボディ側接点部２２２との間に生じる摺擦力を低減でき、以って、レンズ側接点部１２２による壁面１３２すなわち絶縁部の削れを抑制できる。また、レンズ側端子部１２０のレンズ側接点部１２２とボディ側端子部２２０のボディ側接点部２２２との磨耗劣化を抑制できる。
【００６９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００７０】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００７１】
１００  デジタルカメラ、１０２  レンズ側電気回路、１１０  レンズマウント、１２０、１４０、１５０、１６０  レンズ側端子部、１２２、１４２、１６２  レンズ側接点部、１２４、２４４  軸部、１２５、２４５  台座部、１２６、２４６、２６６  軸受部、１２７、２４７  軸支部、１２８、２４８  付勢部材、１２９  貫通孔、１３０、１３１、２３０、２３１  ホルダ、１３２、１３３、２３２、２３３  壁面、１３４、２３５  空洞部、１３６、２３６  フレキシブルプリント配線板、１３８、２３８  ガイド溝、１５６  軸受部、１７０  クリーニング部材、２０２  ボディ側電気回路、２１０  ボディマウント、２２０、２４０、２５０、２６０  ボディ側端子部、２２２、２４２、２５２  ボディ側接点部、２３４  テーパ面、４１０  レンズユニット、４２０  レンズ光学系、４２６  フォーカシングレンズ、４２８  メインレンズ、４６０  カメラボディ、４７０  ペンタプリズム、４９０  接眼系、５００  撮像素子、５１０  ローパスフィルタ、５２０  ミラーユニット、５２２  メインミラー、５２４  サブミラー、５４０  フォーカルプレーンシャッタ
【図１】
2011002794.tif 000003
【図２】
2011002794.tif 000004
【図３】
2011002794.tif 000005
【図４】
2011002794.tif 000006
【図５】
2011002794.tif 000007
【図６】
2011002794.tif 000008
【図７】
2011002794.tif 000009
【図８】
2011002794.tif 000010
【図９】
2011002794.tif 000011
【図１０】
2011002794.tif 000012
【図１１】
2011002794.tif 000013
【図１２】
2011002794.tif 000014
【図１３】
2011002794.tif 000015
【図１４】
2011002794.tif 000016
【図１５】
2011002794.tif 000017